(57)【要約】【課題】  デァルモード方式の移動無線通信端末において、特定の場所で選択したい無線通信方式を、ユーザの操作を必要とすることなく、円滑にかつ自動的に行うようにした通信方式選択システムを提供する。【解決手段】  デァルモード機能の移動無線通信端末に、非接触ＩＣカード機能を搭載し、セキュリティーゲート２０２における屋内２０１に対する入退場管理内２０４のカードリーダ・ライタ装置２０３を用いて、通信方式の選択の切り替え制御を自動的に行う。これにより、ユーザ２０５による操作を必要とせずに、円滑にかつ自動的に無線方式の選択および停止制御が可能になり、消費電力の削減にも寄与する。【選択図】      図２
2007116294.tif 000002
【特許請求の範囲】
【請求項１】
複数の無線通信方式に対応可能な移動無線通信端末における無線通信方式選択システムであって、
前記移動無線通信端末に搭載された非接触ＩＣカードと、
特定場所への入退場を管理するためのゲートに配置されて前記非接触ＩＣカードに対するリーダ・ライタ機能を有するカードリーダ・ライタ装置と、
前記端末に搭載された非接触ＩＣカードと前記カードリーダ・ライタ装置との間の、入退場の際における情報の授受に基づいて、前記端末における前記無線通信方式の選択制御をなす制御手段と、
を含むことを特徴とする無線通信方式選択システム。
【請求項２】
前記制御手段は、前記入退場を示す情報と前記無線通信方式の選択内容を示す情報とに基づいて、前記無線通信方式の選択制御をなすことを特徴とする請求項１記載の無線通信方式選択システム。
【請求項３】
前記無線通信方式の選択内容を示す情報は、前記端末内に予め設定されていることを特徴とする請求項２記載の無線通信方式選択システム。
【請求項４】
前記無線通信方式の選択内容を示す情報は、前記入退場を管理するための装置内に予め設定されていることを特徴とする請求項２記載の無線通信方式選択システム。
【請求項５】
前記制御手段は、非選択の無線通信方式に対応する前記端末の無線部の電源を停止することを特徴とする請求項１〜４いずれか記載の無線通信方式選択システム。
【請求項６】
複数の無線通信方式に対応可能で非接触ＩＣカードを搭載した移動無線通信端末を、特定場所への入退場を管理するためのゲートに配置された前記非接触ＩＣカードに対するリーダ・ライタ機能を有するカードリーダ・ライタ装置にかざすことにより無線通信方式の選択制御をなす方法であって、
前記端末に搭載された非接触ＩＣカードと前記カードリーダ・ライタ装置との間の、入退場の際における情報の授受に基づいて、前記端末における前記無線通信方式の選択制御をなす制御ステップを含むことを特徴とする無線通信方式選択方法。
【請求項７】
前記制御ステップは、前記入退場を示す情報と前記無線通信方式の選択内容を示す情報とに基づいて、前記無線通信方式の選択制御をなすことを特徴とする請求項６記載の無線通信方式選択方法。
【請求項８】
前記無線通信方式の選択内容を示す情報は、前記端末内に予め設定されていることを特徴とする請求項７記載の無線通信方式選択方法。
【請求項９】
前記無線通信方式の選択内容を示す情報は、前記入退場を管理するための装置内に予め設定されていることを特徴とする請求項７記載の無線通信方式選択方法。
【請求項１０】
非選択の無線通信方式に対応する前記端末の無線部の電源を停止するステップを、更に含むことを特徴とする請求項６〜９いずれか記載の無線通信方式選択方法。
【請求項１１】
複数の無線通信方式に対応可能な移動無線通信端末であって、
非接触ＩＣカードと、
特定場所への入退場を管理するためのゲートに配置されて前記非接触ＩＣカードに対するリーダ・ライタ機能を有するカードリーダ・ライタ装置と前記非接触ＩＣカードとの間の、入退場の際における情報の授受に基づいて、前記無線通信方式の選択制御をなす制御手段と、
を含むことを特徴とする端末。
【請求項１２】
前記制御手段は、前記入退場を示す情報と前記無線通信方式の選択内容を示す情報とに基づいて、前記無線通信方式の選択制御をなすことを特徴とする請求項１１記載の端末。
【請求項１３】
前記無線通信方式の選択内容を示す情報は、前記端末内に予め設定されていることを特徴とする請求項１２記載の端末。
【請求項１４】
前記無線通信方式の選択内容を示す情報は、前記入退場を管理するための装置内に予め設定されていることを特徴とする請求項１２記載の端末。
【請求項１５】
前記制御手段は、非選択の無線通信方式に対応する無線部の電源を停止することを特徴とする請求項１１〜１４いずれか記載の端末。
【請求項１６】
複数の無線通信方式に対応可能でかつ非接触ＩＣカードを含む移動無線通信端末における無線通信方式の選択制御のための入退場管理装置であって、
特定場所への入退場を管理するためのゲートに配置され前記非接触ＩＣカードとの間の、入退場の際における情報の授受を行うカードリーダ・ライタ装置と、
前記無線通信方式の選択内容を示す情報が予め設定された手段と、
を含み、前記カードリーダ・ライタ装置は、前記入退場の際に、この入退場の情報と前記無線通信方式の選択内容を示す情報とを、前記端末へ送信することを特徴とする入退場管理装置。
【請求項１７】
複数の無線通信方式に対応可能でかつ非接触ＩＣカードを搭載した移動無線通信端末の動作をコンピュータに実行させるためのプログラムであって、
特定場所への入退場を管理するためのゲートに配置されて前記非接触ＩＣカードに対するリーダ・ライタ機能を有するカードリーダ・ライタ装置と前記非接触ＩＣカードとの間の、入退場の際における情報の授受に基づいて、前記無線通信方式の選択制御をなす処理を含むことを特徴とするプログラム。
【請求項１８】
複数の無線通信方式に対応可能でかつ非接触ＩＣカードを含む移動無線通信端末における無線通信方式の選択制御のための入退場管理装置の動作をコンピュータに実行させるためのプログラムであって、
前記入退場管理装置は、特定場所への入退場を管理するためのゲートに配置され前記非接触ＩＣカードとの間の、入退場の際における情報の授受を行うカードリーダ・ライタ装置と、前記無線通信方式の選択内容を示す情報が予め設定された手段とを含んでおり、
前記カードリーダ・ライタ装置が、前記入退場の際に、この入退場の情報と前記無線通信方式の選択内容を示す情報とを、前記端末へ送信するよう制御する処理を含むことを特徴とするプログラム。
【発明の詳細な説明】
【技術分野】
【０００１】
本発明は無線通信方式選択システム及びその方法並びにそれに用いる移動無線通信端末及び入退場管理装置に関し、特に複数の無線通信方式に対応可能な移動無線通信端末における無線通信方式選択方式に関するものである。
【背景技術】
【０００２】
近年、無線通信方式が異なる複数の通信システムが混在して提供されている移動無線通信サービスを、利用者が存在する周囲の電波受信状況や、利用者の無線通信端末の設定状況に応じて、利用する移動無線通信方式を切り替えるようにした、いわゆるデュアルモード型の移動無線通信端末が普及してきている（特許文献１参照）。特に、オフィスや事業所内（屋内）でのみ使用可能な事業者コードレスシステムの通信端末として、屋外においては、いわゆる携帯電話端末として切り替えて使用するようなものがある。
【０００３】
このように、特定の場所で、特定の無線通信方式を選択してその通信方式でのサービスを利用したいといった状況や、逆に特定の通信方式によるサービスが提供されていない場所において、その特定の通信方式の制御を停止して、通信端末の消費電力を低減させる必要があるという要求がある。
【０００４】
一方、企業の出退勤管理や、オフィス、事業所、研究所等への入退出のセキュリティーの向上を目的として、入退室管理のために、出入口（セキュリティーゲート）に非接触型のＩＣカード用リーダ・ライタ装置を備えた非接触型ＩＣカードを用いたセキュリティーシステムが普及している。また、非接触型ＩＣカード機能を有する無線通信端末も登場してきており（特許文献２参照）、上述したデュアルモードや非接触型ＩＣカード機能を備えた移動無線通信端末に、前述したようなオフィスなどの入退場口でのセキュリティーゲートに備え付けられたＩＣカードリーダ・ライタ装置に、非接触型ＩＣカード機能を備えた無線通信端末をかざすことによって、オフィス、事業所、研究所等への入退出の管理を行うと共に、端末側では入退出を認識することができるものである。
【０００５】
【特許文献１】特開２００４−０９６３７８号公報
【特許文献２】特開２０００−３４１７６２号公報
【発明の開示】
【発明が解決しようとする課題】
【０００６】
上述したように、無線通信方式が異なる複数の通信システムが混在して提供されている移動無線通信サービスを、利用者が存在する周囲の電波受信状況や、利用者が有する無線通信端末の設定状況に応じて、利用する移動無線通信方式を切り替えるようにしたデュアルモード移動無線通信端末において、特定の場所で特定の無線通信方式を選択して、その通信方式によるサービスを受けたいといった状況や、逆に、特定の通信方式によるサービスが提供されていない場所において、その特定の通信方式の制御を停止させて、端末の消費電力を低減させることが要求される。
【０００７】
このような場合、ユーザによる手動による操作が必要であり、従って、操作が煩わしく円滑に切り替え操作などを行うことができず、よって操作を失念して、特定の場所で、特定の無線通信方式を選択せずに、その通信方式でのサービスを利用できなかったり、また非選択の無線通信方式の制御停止をタイムリーに行うことができず、よって電力を消費してしまうという問題が生ずることになる。特に、例えば、屋内においては無線ＬＡＮを利用した事業所コードレス端末として使用し、屋外においては携帯電話端末として使用するような場合などに、上述した問題が生ずることになる。
【０００８】
そこで、前述したように、事業所コードレスシステムが導入されたオフィスや事業所などの入退場の管理に用いられているセキュリティーチェックのためのＩＣカードリーダ・ライタ装置に、非接触型ＩＣカード機能を備えた無線通信端末をかざして、非接触型ＩＣカードシステムによる入退場管理時に、入退場が行われたことを認識して、当該無線通信端末における移動無線通信方式を切り替えるようにすることが考えられる。
【０００９】
すなわち、本発明の目的は、特定の場所で選択したい無線通信方式を、ユーザの操作を必要とすることなく、円滑に自動的に行うようにした通信方式選択システム及びその方法並びにそれに用いる移動無線通信端末及び入退場管理装置を提供することである。
【００１０】
本発明の他の目的は、非選択の無線通信方式の制御を自動的に停止させて端末の消費電力の削減を可能とした通信方式選択システム及びその方法並びにそれに用いる移動無線通信端末及び入退場管理装置を提供することである。
【課題を解決するための手段】
【００１１】
本発明による無線通信方式選択システムは、複数の無線通信方式に対応可能な移動無線通信端末における無線通信方式選択システムであって、前記移動無線通信端末に搭載された非接触ＩＣカードと、特定場所への入退場を管理するためのゲートに配置されて前記非接触ＩＣカードに対するリーダ・ライタ機能を有するカードリーダ・ライタ装置と、前記端末に搭載された非接触ＩＣカードと前記カードリーダ・ライタ装置との間の、入退場の際における情報の授受に基づいて、前記端末における前記無線通信方式の選択制御をなす制御手段とを含むことを特徴とする。
【００１２】
本発明による無線通信方式選択方法は、複数の無線通信方式に対応可能で非接触ＩＣカードを搭載した移動無線通信端末を、特定場所への入退場を管理するためのゲートに配置された前記非接触ＩＣカードに対するリーダ・ライタ機能を有するカードリーダ・ライタ装置にかざすことにより無線通信方式の選択制御をなす方法であって、前記端末に搭載された非接触ＩＣカードと前記カードリーダ・ライタ装置との間の、入退場の際における情報の授受に基づいて、前記端末における前記無線通信方式の選択制御をなす制御ステップを含むことを特徴とする。
【００１３】
本発明による移動無線通信端末は、複数の無線通信方式に対応可能な端末であって、非接触ＩＣカードと、特定場所への入退場を管理するためのゲートに配置されて前記非接触ＩＣカードに対するリーダ・ライタ機能を有するカードリーダ・ライタ装置と前記非接触ＩＣカードとの間の、入退場の際における情報の授受に基づいて、前記無線通信方式の選択制御をなす制御手段とを含むことを特徴とする。
【００１４】
本発明による入退場管理装置は、複数の無線通信方式に対応可能でかつ非接触ＩＣカードを含む移動無線通信端末における無線通信方式の選択制御のための入退場管理装置であって、特定場所への入退場を管理するためのゲートに配置され前記非接触ＩＣカードとの間の、入退場の際における情報の授受を行うカードリーダ・ライタ装置と、前記無線通信方式の選択内容を示す情報が予め設定された手段とを含み、前記カードリーダ・ライタ装置は、前記入退場の際に、この入退場の情報と前記無線通信方式の選択内容を示す情報とを、前記端末へ送信することを特徴とする。
【００１５】
本発明によるプログラムは、複数の無線通信方式に対応可能でかつ非接触ＩＣカードを搭載した移動無線通信端末の動作をコンピュータに実行させるためのプログラムであって、特定場所への入退場を管理するためのゲートに配置されて前記非接触ＩＣカードに対するリーダ・ライタ機能を有するカードリーダ・ライタ装置と前記非接触ＩＣカードとの間の、入退場の際における情報の授受に基づいて、前記無線通信方式の選択制御をなす処理を含むことを特徴とする。
【００１６】
本発明による他のプログラムは、複数の無線通信方式に対応可能でかつ非接触ＩＣカードを含む移動無線通信端末における無線通信方式の選択制御のための入退場管理装置の動作をコンピュータに実行させるためのプログラムであって、前記入退場管理装置は、特定場所への入退場を管理するためのゲートに配置され前記非接触ＩＣカードとの間の、入退場の際における情報の授受を行うカードリーダ・ライタ装置と、前記無線通信方式の選択内容を示す情報が予め設定された手段とを含んでおり、前記カードリーダ・ライタ装置が、前記入退場の際に、この入退場の情報と前記無線通信方式の選択内容を示す情報とを、前記端末へ送信するよう制御する処理を含むことを特徴とする。
【発明の効果】
【００１７】
本発明によれば、非接触型ＩＣカード機能を搭載したデュアルモード移動無線通信端末において、セキュリティーゲートにおける入退場管理を用いて、自動的に無線通信方式の選択制御を行うようにしたので、ユーザの操作を煩わすことなく円滑に自動的に無線通信方式の選択、停止ができ、結果的に、消費電力の削減も可能になるという効果がある。
【発明を実施するための最良の形態】
【００１８】
以下に本発明の実施の形態について説明する。図１は本発明の実施の形態に用いるデュアルモード及び非接触型ＩＣカード機能を有する移動無線通信端末の概略機能ブロック図である。図１を参照すると、図示せぬ基地局（ＢＳ）やアクセスポイント（ＡＰ）に対してデータの送受信をなすアンテナ１０１と、複数（本例では、２種）の移動通信システムの無線通信方式に対応した無線信号の送受信制御をなす無線部１０２，１０３と、送受信信号の変復調処理動作をなす信号処理部１０４と、各部の制御をなす制御部（ＣＰＵ）１０５を含んでいる。
【００１９】
スピーカ１０７は、制御部１０５において音声通信信号が複合化処理された電気信号を音声として出力し、また着信音や操作音を出力するものである。マイク１０８からの入力音声は、制御部１０５を介して信号処理部１０４へ入力されて符号化されるようになっている。
【００２０】
操作部１０９はキー入力部であり、電源のオンオフキー、音声通信時のダイヤル用テンキー、音声着信通話開始、終了キー、データ通信時の入力キーなど、当該端末の操作のためのキーが設けられている。表示部１１０は、サービス圏外、圏内の表示や、受信電界レベル、日付、時刻、操作上のメッセージ情報表示をなす。記憶部１０６は制御部１０５で実行される各種プログラムやデータを記憶し、制御部１０５はこのプログラムに従って各部の動作の制御をなすＣＰＵである。
【００２１】
非接触ＩＣカード部１１１が搭載されており、この非接触ＩＣカード部１１１は、事業所やオフィスなどのセキュリティーゲート（図２の２０２参照）に配備されているカードリーダ・ライタ装置（図２の２０３であり、図２では、簡単化のために、カードリーダ装置として示している）との間での通信を行うものである。すなわち、カードリーダ・ライタ装置から発信されている電磁波のエネルギーにより行われるようになっている。
【００２２】
この非接触ＩＣカード上のデータ内容は、制御部１０５にて動作するアプリケーションプログラムを用いて、表示部１１０に表示されて非接触ＩＣカードと連動した動作の制御が可能となっている。なお、この非接触ＩＣカードの詳細な構成は、当業者にとっては周知であり、不揮発性メモリチップと無線通信チップとを内蔵した樹脂性のカードであって、カードリーダ・ライタ装置にかざすだけで、料金の精算や入退場の管理が行えるものである。
【００２３】
また、偽造や変造が行われないように、セキュリティー機能も備えられており、非接触ＩＣカードは、一枚のカードで複数種類のデータやアプリケーションを管理することができ、よって、電子マネーや公共交通機関のプリペイドカード、社員証、学生証、入退室管理のためのＩＤカードなど、各種の機能を併せ持ったカードとすることができる。
【００２４】
これらのデータはＩＣカード内チップの中で、独立した管理がなされるようになっており、個別のアクセス権を設定することにより、複数のサービス（アプリケーション）間で、安全な相互運用が可能となっている。カード内には、電池やバッテリーなどの電源を有さないために、カードの構造が簡単化され、電池切れなどで使用不可能となる事態も防止されている。
【００２５】
図２は図１に示した移動無線通信端末を用いた本発明の実施の形態による通信方式選択システムの概略システムブロック図である。本例では、無線通信方式が異なる通信システムは、２種が提供されるものとしている。２０１は、事業所コードレスシステムなどの通信方式によるサービスを行っているオフィスや事業所などの屋内を示している。この場合、屋内ではあるが、電波の状態によっては、携帯電話の通信方式によるサービスも利用可能となっているものとする。
【００２６】
セキュリティーゲート２０２は、オフィスや事業所などの屋内２０１への入退場管理を行うものであり、入退場者は、図１にて説明した非接触ＩＣカード機能を有する移動無線通信端末や非接触ＩＣカード式の社員証やセキュリティーカードなどを、カードリーダ・ライタ装置（図２では、簡単化のためにカードリーダ装置として示している）２０３にかざす。これにより、非接触ＩＣカード内のデータが読み込まれて入退場管理装置２０４内に予め登録されているデータと照合され、入退場許可と判断されると、セキュリティーゲート２０２が開く仕組みとなっている。
【００２７】
２０５は屋内２０１に入場したユーザを示しており、本発明に対応したデュアルモード機能及び非接触ＩＣカード機能を有する移動無線通信端末を所有しているものとする。この移動無線通信端末は、屋内２０１に設置されている事業所コードレスシステムに対応したＡＰ２０６と、予め定められた通信方式によってデータの送受信が可能である。ＡＰ２０６は、屋内２０１に配置されている他のＡＰと接続されており、また、呼制御装置２０７とも接続されて、オフィスや事業所内２０１での事業所コードレスシステムに対応した、他の移動無線通信端末との間でデータの送受信や音声通信の接続制御を行うものである。
【００２８】
呼制御装置２０７は、通信網２１０にも接続されており、オフィスや事業所内２０１の一般電話（図示せず）や携帯電話とのデータ通信や音声通信を可能とするものである。２１１は、本発明に対応したデュアルモード機能及び非接触ＩＣカード機能を有する移動無線通信端末を有するユーザを示しており、屋内２０１にはいないものとする。
【００２９】
このユーザ２１１が有する端末は、ＢＳ２０８と予め定められた通信方式でデータの送受信を行っており、ＢＳ２０８は携帯電話ネットワーク２０９に接続されて携帯電話サービスを利用できることを示している。携帯電話ネットワーク２０９は、通信網２１０にも接続されている。なお、ユーザ２１１が有する端末は、オフィスや事業所２０１外にいるために、この屋内２０１で提供されている事業所コードレスシステムのサービスは受けられないものとする。
【００３０】
以下に、本発明の実施の形態の動作について説明する。本発明に対応したデュアルモード機能及び非接触ＩＣカード機能を有する移動無線通信端末を所有しているユーザが、オフィスや事業所等の屋内２０１に入場する際に、移動無線通信端末の非接触ＩＣカードをセキュリティーゲート２０２に設置されているカードリーダ・ライター装置２０３にかざすことにより、非接触ＩＣカード内のデータが読み込まれ、入退場管理装置２０４内に予め登録されたデータと照合される。このとき、入退場可能と識別されると、セキュリティーゲート２０２が開き、通過することが可能となる。
【００３１】
この場合に、特定のセキュリティーゲートを通過することで、移動無線通信方式を切り替えるような動作を、ユーザの操作により、移動無線端末に設定しておくことが可能となっており、またＩＣカードリーダ・ライタ装置２０３にかざすことにより、ＩＣカードリーダ・ライタ装置側から携帯無線端末側の非接触ＩＣカードに書き込まれた設定内容に応じて、移動無線通信方式を制御部１０５が切り替える動作となっている。
【００３２】
またこの時、非選択の無線通信方式があれば、制御部１０５によって、無線部１０２や１０３の制御を行い、パワーセーブモードや回路の電源をオフする制御が行われる。これは、例えば使用可能な通信方式の電波が届かないような場所においても、ＢＳ（基地局）やＡＰ（アクセスポイント）の電波を検出する動作が一定周期毎に行われるため、使用不可能ということが予め判明している場合、前記のようにパワーセーブを行うことがバッテリーセービング向上につながるからである。
【００３３】
ここで、具体的な実施例における設定例を、図３、図４を用いて説明する。図３は、図２の実施例の構成で説明した場所と、その場所での利用可能な通信方式（サービス）とを、分かり易く表にしたものである。場所に示す「屋内」とは、オフィスや事業所等の内部２０１を指しており、「屋外」とは、オフィスや事業所の外を指している。使用可能な通信方式は、屋内では、事業所コードレスシステム、携帯電話システムの両方の通信方式であり、一方、屋外では、事業所コードレスシステムの電波は届かないために、携帯電話システムのみの通信方式の利用が可能であるものとする。
【００３４】
ここで、事前に図１に示した本発明に対応した無線移動通信端末は、図４のような形式でセキュリティーゲート２０２通過時における通信方式の切り替え動作設定を、ユーザの自身の事前の設定により行うことが可能となっており、この設定の際には、表示部１１０にその設定するための情報が表示され、操作部１０９を用いてユーザーが図４に示すように丸印や、バツ印の設定を、それぞれ行っておくのである。この設定は記憶部１０５に保持されているものとする。
【００３５】
図４は、セキュリティーゲート２０２通過時における通信方式の切り替え動作の例を示しており、図５はこの場合の全体の動作手順を示すフローチャーチである。ユーザがセキュリティーゲート２０２にてカードリーダ・ライタ装置２０３に、本発明に対応したデュアルモード機能及び非接触ＩＣカード機能の端末をかざすと（ステップＳ１）、セキュリティーゲート２０２で入退場が行われたことが認識され（ステップＳ２）、入場か退場かの情報が、端末へ送信されるので、端末では、ユーザーの事前の図４の設定応じて、利用する移動無線通信方式を切り替えられる（ステップＳ３，Ｓ４）。入退場管理装置側では、入場、退場に応じて、それぞれ対応する処理が行われることになる（ステップＳ５，Ｓ６）。
【００３６】
上記の例では、端末側において、予め図４の情報である無線通信方式切り替えのための情報を設定していたが、他の方法として、入退場管理装置２０４側に、予め図４の情報を設定しておき、端末をＩＣカードリーダ・ライタ装置２０３にかざすことにより、ＩＣカードリーダ・ライタ装置２０３側から、この装置２０３に事前に設定れていた図４の内容が、端末側の非接触ＩＣカードに書き込まれ、この図４の内容に従って移動無線通信方式の切り替え動作が行われるという方法も可能である。
【００３７】
図６は、この場合の全体の動作を示すフローチャートであり、図５と同等部分は同一符号により示している。本例では、図５のステップＳ１とＳ２との間に、ステップＳ７が追加される。すなわち、ステップＳ１で端末がリーダ・ライタ装置にかざされると、このリーダ・ライタ装置から、予め入退場管理装置２０４に設定されている図４に示すような情報が、入退場を示す情報と共に端末側へ送信される。端末側では、これらの情報に基づいて無線通信方式の選択制御を行うのである。
【００３８】
以上のようにすることにより、ユーザが屋内２０１へ入場する場合には、携帯電話システムの他、事業所コードレスシステムがオンとなり、よってユーザは両通信方式のサービスが受けられる。また、ユーザが屋外へ退場する場合には、事業所コードレスシステムがオフとなり、携帯電話システムのサービスのみが受けられるようになる。このとき、事業所コードレスシステムに対応する無線部（図１の１０２または１０３）への電源供給を停止して、その動作を停止させることにより、消費電力の削減をなすようになっている。
【００３９】
上記の実施の形態において、セキュリティーゲート及びカードリーダ・ライタ装置を含む入退場管理装置の動作や移動無線通信端末の動作は、予めその動作手順をプログラムとしてＲＯＭなどのモメリに格納しておき、これをコンピュータ（ＣＰＵ）により読み取らせて実行するように構成できることは勿論である。
【図面の簡単な説明】
【００４０】
【図１】本発明の実施の形態に用いる移動無線通信端末の機能ブロック図である。
【図２】本発明の実施の形態の全体的システム構成を示す図である。
【図３】使用可能な通信方式の例を示す図である。
【図４】図２のセキュリティーゲート２０２を通過時における通信方式の切り替え態様を示す図である。
【図５】本発明の実施の形態の動作の一例を示すフローチャートである。
【図６】本発明の実施の形態の動作の他の例を示すフローチャートである。
【符号の説明】
【００４１】
１０１  アンテナ
１０２，１０３  受信部
１０４  信号処理部
１０５  制御部
１０６  記憶部
１０７  スピーカ
１０８  マイク
１０９  操作部
１１０  表示部
１１１  非接触ＩＣカード部
２０１  屋内
２０２  セキュリティーゲート
２０３  カードリーダ・ライタ装置
２０４  入退場管理装置
２０５，２１１  ユーザ
２０６  アクセスポイント（ＡＰ）
２０７  呼制御装置
２０８  基地局（ＢＳ）
２０９  携帯電話ネットワーク
２１０  通信網
【図１】
2007116294.tif 000003
【図２】
2007116294.tif 000004
【図３】
2007116294.tif 000005
【図４】
2007116294.tif 000006
【図５】
2007116294.tif 000007
【図６】
2007116294.tif 000008